(57)【特許請求の範囲】
【請求項１】
遊技に係る抽選処理又は演出処理を行う中心基板と、前記中心基板に接続されるひとつ又は複数の中間周辺基板と、前記中間周辺基板にそれぞれ接続されるひとつ又は複数の終端周辺基板と、前記中心基板と前記中間周辺基板を電気的にそれぞれ接続する第１ワイヤハーネスと、前記中間周辺基板と前記終端周辺基板を電気的にそれぞれ接続する第２ワイヤハーネスと、を備え、
前記第1ワイヤハーネス及び前記第２ワイヤハーネスは、前記中心基板から送信される確認信号を前記中間周辺基板及び前記終端周辺基板へ伝達するための確認信号送信線及び前記終端周辺基板から返される確認信号の返信を前記中心基板へ伝達するための確認信号返信線を含み、
前記中間周辺基板は、前記第１ワイヤハーネスに設けられたコネクタプラグと嵌合する中心側コネクタソケットと、前記第２ワイヤハーネスに設けられたコネクタプラグと嵌合する周辺側コネクタソケットと、前記中心側コネクタソケットと前記周辺側コネクタソケットの間に、前記第１ワイヤハーネスに含まれる前記確認信号送信線と前記第２ワイヤハーネスに含まれる前記確認信号送信線を接続する配線及び前記第１ワイヤハーネスに含まれる前記確認信号返信線と前記第２ワイヤハーネスに含まれるの前記確認信号返信線を接続する配線とを備え、
前記終端周辺基板は、前記第２ワイヤハーネスに設けられたコネクタプラグと嵌合するコネクタソケットと、前記第２ワイヤハーネスに含まれる前記確認信号送信線と前記確認信号返信線を接続する配線とを備え、
前記中心基板は、前記確認信号送信線で前記確認信号を前記終端周辺基板へ送信するとともに、前記確認信号返信線で前記終端周辺基板からの前記確認信号の返信を確認するハーネス接続確認部と、前記ハーネス接続確認部で前記確認信号の返信を確認できなかったときにエラー報知を行うエラー報知部とを備える遊技機。
【請求項２】
前記ハーネス接続確認部は、入力電圧を予め定められた電圧と比較するコンパレータを備え、
前記ハーネス接続確認部において、前記確認信号送信線に抵抗を介して電源が接続されるとともに、前記確認信号返信線が接地され、
前記コンパレータの入力に前記確認信号送信線が接続され、
前記エラー報知部は、前記コンパレータの出力に基づきエラー報知を行うことを特徴とする請求項１記載の遊技機。
【請求項３】
前記ハーネス接続確認部は、入力電圧を予め定められた電圧と比較するコンパレータを備え、
前記ハーネス接続確認部において、前記確認信号送信線に電源線が接続されるとともに、前記確認信号返信線が抵抗を介して接地され、
前記コンパレータの入力に前記確認信号返信線が接続され、
前記エラー報知部は、前記コンパレータの出力に基づきエラー報知を行うことを特徴とする請求項１記載の遊技機。
【請求項４】
前記ハーネス接続確認部は、少なくとも２つの入力端子を含むコンパレータを備え、
前記ハーネス接続確認部において、前記確認信号送信線に電源線が接続されるとともに、前記確認信号返信線が抵抗を介して接地され、
前記コンパレータの２つの入力端子は前記抵抗の両端に接続され、
前記エラー報知部は、前記コンパレータの出力に基づきエラー報知を行うことを特徴とする請求項１記載の遊技機。
【請求項５】
前記ハーネス接続確認部は、予め定められた信号を前記確認信号送信線へ出力する発信器と、前記確認信号返信線で返信された前記確認信号の返信信号を前記発信器の出力信号と比較するコンパレータとを備え、
前記エラー報知部は、前記コンパレータの出力に基づきエラー報知を行うことを特徴とする請求項１記載の遊技機。
【発明の詳細な説明】
【技術分野】
【０００１】
この発明は、スロットマシンなどの遊技機に関し、特に、複数の基板と、これらの間を電気的に接続するワイヤハーネスとを備える遊技機において、不正な電子部品を追加して行う不正行為を抑止できる遊技機に関する。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、その筐体内部に、遊技媒体の供給に基づいて作動させるランプ装置や音声発生装置などの様々な各種駆動装置及びこれら駆動装置を制御させるために対応させた制御回路装置を備えており、遊技者が遊技を行う際にこれらを適宜作動させることによって遊技を興趣に溢れたものとしている。また、近年では、所定の識別情報（図柄）を変動表示し得るリール表示装置または液晶画像表示装置等の図柄可変表示装置を内蔵し、所定条件を満たしたときに識別情報を変動させた後に停止表示させるように図柄可変表示装置を作動させるものが主流となっている。これらの装置は制御回路装置によって制御されている。
【０００３】
最近の遊技機の内部に配設されている制御回路装置は、基板上に設けられたＣＰＵ（ｃｅｎｔｒａｌ ｐｒｏｃｅｓｓｉｎｇ ｕｎｉｔ）が、制御プログラムに従って電子制御を行うものが一般的である。制御プログラムは、マスクＲＯＭ（ｒｅａｄ ｏｎｌｙ ｍｅｍｏｒｙ）のような基板上に装着されたＩＣチップにデータとして記憶されており、ＣＰＵは、遊技状態に応じてＩＣチップから制御プログラムのデータを逐次読み出して実行することによって制御を行っている。
【０００４】
遊技機に対する不正行為が大きな問題になっている。不正行為にはさまざまなものがあるが、そのひとつに遊技機の扉を開け、基板や複数の基板を結ぶワイヤハーネス（a wire harness：組み電線。電線やケーブルを結束したもの。以下、単に「ハーネス」と記すことがある）に不正な電子部品を取り付けるといったやり方がある。不正な電子部品は、不正行為を行う者にとって遊技が有利になるような不正な処理を行うものである。例えば、スタートスイッチが設けられているスイッチ基板と抽選処理を行うメイン基板の間に不正な電子部品が設けられることがある。当該不正な電子部品は、当該抽選処理による当選確率が高くなるように、スタートスイッチの押下信号を所定のタイミングで電子的に生成し、メイン基板へ送り出す。また、メイン基板のＲＯＭを当選確率が高まるような内容に書き換えたものに不正に交換するといったことも行われている。
【０００５】
不正行為として、ＲＯＭを交換したり、メイン基板そのものを交換することのほか、ハーネスに不正な電子部品を設けたり、予め不正な電子部品を搭載したコネクタやハーネスを正規のものと交換する、といったものがある。これら不正行為を大別すれば、ハーネスの交換、つまりコネクタの挿抜を伴うものと、そうでないものがある。前者の例として、メイン基板の交換、コネクタやハーネスの交換があり、後者の例としてＲＯＭの交換がある。以下の説明において、もっぱら前者のハーネスの交換（コネクタの挿抜）を伴う不正行為について述べる。
【０００６】
ハーネスが不正なものに交換された場合でも、その後遊技が可能であり、しかも遊技機の外部からでは不正な電子部品を発見することができない。従来の遊技機では、遊技中もしくは遊技待機中にハーネスなどの信号線を接続する媒体が一時的に外されても、それが接続されている先の基板上の電子部品等が動作をしなくなるだけで、それ以外の基板や電子部品等には影響を及ぼさないものであった。このような理由から、上記不正行為を防止することは困難であった。
【０００７】
上記不正行為を防止するための技術として以下の特許文献１に記載のものがある。
【０００８】
【特許文献１】特開２００５−５８６３７号公報「遊技機の不正配線検出装置及び方法並びにプログラム」
【発明の開示】
【発明が解決しようとする課題】
【０００９】
特許文献１の技術は、検出回路でハーネスの両端の信号を比較し、これが一致しないときに不正な電子部品が取り付けられたと判断するものであった。しかし、特許文献１のやり方では複数の基板、特に階層化されて接続された複数の基板の全部を同時に監視することはできなかった。
【００１０】
本発明は、階層化されて接続された複数の基板の全部を同時に監視することができ、前記複数の基板及びこれらを接続するハーネスのいずれかにおいて不正な操作（例えばハーネスの交換や不正なコネクタの挿抜）が加えられたときに、音や光などの人間が感知できるような方法でエラー状態を知らせることで、容易に不正な部品を取り付けることができない遊技機を提供することを目的とする。
【課題を解決するための手段】
【００１１】
この発明に係る遊技機は、遊技に係る抽選処理又は演出処理を行う中心基板と、前記中心基板に接続されるひとつ又は複数の中間周辺基板と、前記中間周辺基板にそれぞれ接続されるひとつ又は複数の終端周辺基板と、前記中心基板と前記中間周辺基板を電気的にそれぞれ接続する第１ワイヤハーネスと、前記中間周辺基板と前記終端周辺基板を電気的にそれぞれ接続する第２ワイヤハーネスと、を備え、
前記第1ワイヤハーネス及び前記第２ワイヤハーネスは、前記中心基板から送信される確認信号を前記中間周辺基板及び前記終端周辺基板へ伝達するための確認信号送信線及び前記終端周辺基板から返される確認信号の返信を前記中心基板へ伝達するための確認信号返信線を含み、
前記中間周辺基板は、前記第１ワイヤハーネスに設けられたコネクタプラグと嵌合する中心側コネクタソケットと、前記第２ワイヤハーネスに設けられたコネクタプラグと嵌合する周辺側コネクタソケットと、前記中心側コネクタソケットと前記周辺側コネクタソケットの間に、前記第１ワイヤハーネスに含まれる前記確認信号送信線と前記第２ワイヤハーネスに含まれる前記確認信号送信線を接続する配線及び前記第１ワイヤハーネスに含まれる前記確認信号返信線と前記第２ワイヤハーネスに含まれるの前記確認信号返信線を接続する配線とを備え、
前記終端周辺基板は、前記第２ワイヤハーネスに設けられたコネクタプラグと嵌合するコネクタソケットと、前記第２ワイヤハーネスに含まれる前記確認信号送信線と前記確認信号返信線を接続する配線とを備え、
前記中心基板は、前記確認信号送信線で前記確認信号を前記終端周辺基板へ送信するとともに、前記確認信号返信線で前記終端周辺基板からの前記確認信号の返信を確認するハーネス接続確認部と、前記ハーネス接続確認部で前記確認信号の返信を確認できなかったときにエラー報知を行うエラー報知部とを備えるものである。
【００１２】
例えば、前記ハーネス接続確認部は、入力電圧を予め定められた電圧と比較するコンパレータを備え、
前記ハーネス接続確認部において、前記確認信号送信線に抵抗を介して電源が接続されるとともに、前記確認信号返信線が接地され、
前記コンパレータの入力に前記確認信号送信線が接続され、
前記エラー報知部は、前記コンパレータの出力に基づきエラー報知を行う。
【００１３】
例えば、前記ハーネス接続確認部は、入力電圧を予め定められた電圧と比較するコンパレータを備え、
前記ハーネス接続確認部において、前記確認信号送信線に電源線が接続されるとともに、前記確認信号返信線が抵抗を介して接地され、
前記コンパレータの入力に前記確認信号返信線が接続され、
前記エラー報知部は、前記コンパレータの出力に基づきエラー報知を行う。
【００１４】
例えば、前記ハーネス接続確認部は、少なくとも２つの入力端子を含むコンパレータを備え、
前記ハーネス接続確認部において、前記確認信号送信線に電源線が接続されるとともに、前記確認信号返信線が抵抗を介して接地され、
前記コンパレータの２つの入力端子は前記抵抗の両端に接続され、
前記エラー報知部は、前記コンパレータの出力に基づきエラー報知を行う。
【００１５】
例えば、前記ハーネス接続確認部は、予め定められた信号を前記確認信号送信線へ出力する発信器と、前記確認信号返信線で返信された前記確認信号の返信信号を前記発信器の出力信号と比較するコンパレータとを備え、
前記エラー報知部は、前記コンパレータの出力に基づきエラー報知を行う。
【発明の効果】
【００１６】
本発明によれば、確認信号を終端周辺基板へ向けて送信する中心基板に、終端周辺基板からの確認信号の返信を確認するハーネス接続確認部と、ハーネス接続確認部で確認信号の返信を確認できなかったときにエラー報知を行うエラー報知部とを備えるので、階層化されて接続された複数の基板間の複数のハーネスを同時に監視し、遊技中もしくは遊技待機中に、前記複数のハーネスのいずれかが外されたことを検知するとともに、そのことを音や光などで報知することができる。これにより、遊技の結果に影響を及ぼす恐れのある不正な電子部品の取り付けを抑止できる。
【発明を実施するための最良の形態】
【００１７】
発明の実施の形態１．
この発明の実施の形態に係る遊技機について図面を参照して説明する。
図１は扉を閉めた状態を示すスロットマシンの正面図を示す。
【００１８】
図１中、１００はスロットマシンを示すもので、このスロットマシン１００は、図１に示すように、スロットマシン本体１２０と、このスロットマシン本体１２０の前面片側にヒンジ等により開閉可能に取り付けられた扉１３０とを備えている。前記扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに下側には、メダル投入口１３２から投入され、詰まってしまったメダルをスロットマシン１００外に強制的に排出するためのリジェクトボタン１３３が設けられている。
【００１９】
また、前記ゲーム表示部１３１の左下方には、ゲームを開始するためのスタートスイッチ１３４を設けてあり、３つのリールのそれぞれに対応して３つのストップボタン１４０を設けてある。扉の下端部中央には、メダルの払出し口１３５を設けてある。
【００２０】
図２はスロットマシン１００の電気的な概略構造を示すブロック図である。この図において電源系統についての表示は省略されている。スロットマシン１００は、その主要な処理装置としてメイン基板１とこれからコマンドを受けて動作するサブ基板２とを備える。なお、少なくともメイン基板１は、外部から接触不能となるようにケース内部に収容され、これら基板を取り外す際に痕跡が残るように封印処理が施されている。
【００２１】
メイン基板１は、遊技者の操作を受けて内部抽選を行ったり、リールの回転・停止やメダルの払い出しなどの処理を行うためのものである。メイン基板１は、予め設定されたプログラムに従って制御動作を行うＣＰＵと、前記プログラムを記憶する記憶手段であるＲＯＭおよび処理結果などを一時的に記憶するＲＡＭを含む。
【００２２】
サブ基板２は、メイン基板１からコマンド信号を受けて内部抽選の結果を報知したり各種演出を行うためのものである。サブ基板２は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１からサブ基板２への一方のみであり、逆にサブ基板２からメイン基板１へコマンド等が出されることはない。
【００２３】
メイン基板１にはスタートスイッチ１３４，ストップボタン１４０，リールユニット（リール駆動装置を含む）７０，リール位置検出回路７１、ホッパ駆動部８０、ホッパ８１及びホッパ８１から払い出されたメダルの枚数を数えるためのメダル検出部８２が接続されている。サブ基板２には液晶表示装置の制御基板２００、スピーカ基板２０１、ＬＥＤ基板２０２などの周辺基板（ローカル基板）が接続されている。
【００２４】
上述のように、メイン基板１及びサブ基板２は、ＣＰＵを中心に構成され、ＲＯＭ、ＲＡＭ、Ｉ／Ｏ等を備えている。そして、ＣＰＵ（処理部）が遊技者の操作を受けてＲＯＭ（記憶部）に記憶されたプログラムを読み込むことで所定の動作を行う。具体的には、スタートスイッチ１３４及びストップボタン１４０の操作に基づきリールユニット７０に内蔵される３つの回転リールの回転及び停止を制御するとともに、ランプやスピーカ等の表示を制御する。ＣＰＵが動作する際に必要な一時的なデータなどはＲＡＭ（一般にＲＡＭは揮発性メモリであり、その電源断によりデータは原則失われるが、本遊技機においてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
【００２５】
図２において、メイン基板１とサブ基板２の間、メイン基板１とスタートスイッチ１３４やストップボタン１４０が搭載されたスイッチ基板の間、リールユニット７０やホッパー駆動部８０の間、サブ基板２と液晶制御基板２００、スピーカ基板２０１及びＬＥＤ基板２０２の間は、それぞれワイヤハーネスＷＨで接続されている。ワイヤハーネスＷＨは電線やケーブルを結束したものであって、通常のその両端にコネクタ（プラグ）が設けられている。このコネクタ（プラグ）が基板に設けられたコネクタ（ソケット）に嵌合し電気的に接続されることで、各基板間の電気的接続が完成する。図２中の点線の楕円は、この点線で囲んだ電線がひとつのワイヤハーネスＷＨにまとめられていることを示す。接続個所及び経路が同じ電線は、通常ひとつのワイヤハーネスＷＨにまとめられる。多くの場合、ワイヤハーネスＷＨは、複数の電線（通常は数本から数十本の電線）を含むものである。図２で一本の線で示されたワイヤハーネスＷＨについても同様である。
【００２６】
スロットマシンで遊技を楽しもうとする遊技者は、まずメダル貸機（図示しない）等から遊技媒体であるメダルを借り、メダル投入装置のメダル投入口１３２に直接メダルを入れることができる。スタートスイッチ１３４は回転リールの斜め下方に位置するレバーであって、遊技メダルの投入を条件に、リールユニット７０の駆動を開始させる。リールユニット７０は、ストップボタン１４０によりその駆動が停止される。リールユニット７０は、三個の回転リールから構成されている。そして、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２７】
図面を参照して発明の実施の形態に係る動作を説明する。
図３は発明の実施の形態の動作原理の説明図である。図３では、中心基板ＰＢＣに対して、複数の周辺基板が階層をなして接続されている（中心基板と周辺基板については後述する）。末端の周辺基板を周辺基板（終端）又は終端周辺基板ＰＢＥと表記し、終端周辺基板ＰＢＥと中心基板ＰＢＣの間の周辺基板を周辺基板（中間）又は中間周辺基板ＰＢＭと表記する。
【００２８】
中心基板ＰＢＣは、確認信号を終端周辺基板ＰＢＥへ向けて送信するとともに、終端周辺基板ＰＢＥからの確認信号の返信を確認するハーネス接続確認部ＤＥＴと、ハーネス接続確認部ＤＥＴで確認信号の返信を確認できなかったときにエラー報知を行うエラー報知部ＥＲＲとを備える（ハーネス接続確認部ＤＥＴの詳細は後述する）。すなわち、中心基板ＰＢＣのハーネス接続確認部ＤＥＴから確認信号を中間周辺基板ＰＢＭへ出力し（符号Ａ）、中間周辺基板ＰＢＭは確認信号を中継して終端周辺基板ＰＢＥへ出力し（符号Ｂ）、終端周辺基板ＰＢＥは確認信号の返信を中間周辺基板ＰＢＭへ返し（符号Ｃ）、中間周辺基板ＰＢＭは確認信号の返信を中心基板ＰＢＣへ返す（符号Ｄ）。この動作はさらに階層が深いとき、例えば図３右側の３階層の場合でも同様である。他の周辺基板に対しても確認信号の送信とその返信という手順が実行されるが、その説明は省略する。
【００２９】
ハーネス接続確認部ＤＥＴは、複数の周辺基板からなる階層の系統ごとに（図３の例では、左側の２階層の系統と、右側の３階層の系統の２系統が示されている）、確認信号の送信に対してその返信があるかどうか常に監視しており、複数の周辺基板のいずれかの系統において確認信号の返信がなくなった、すなわちいずれかのハーネス又はコネクタが外されたと判断したときに、エラー報知部ＥＲＲでエラー報知を行う。これにより、ハーネスの交換、つまりコネクタの挿抜を伴う不正行為を直ちに検出し、そのことを音や光などで報知することができる。これにより、遊技の結果に影響を及ぼす恐れのある不正な電子部品の取り付けを抑止できる。
【００３０】
本発明の実施の形態では、少なくともハーネス接続の確認とエラー報知（又はエラー報知を行わせるための制御信号の送信）が可能な基板（好ましくはＣＰＵを備えるもの）を中心基板ＰＢＣとし、これ以外の基板を周辺基板ＰＢＭ又はＰＢＥとする。周辺基板ＰＢＭ及びＰＢＥが階層的に接続されていればよく、遊技機のどの基板を中心基板ＰＢＣとし、どの基板を周辺基板ＰＢＭ又はＰＢＥとするかは、任意である。例えば、図４（ａ）に示すように、中心基板ＰＢＣをサブ基板２とし、中間周辺基板ＰＢＭをメイン基板１とし、終端周辺基板ＰＢＥをスイッチ基板とすることができる。あるいは、図４（ｂ）に示すように、中心基板ＰＢＣをメイン基板１とし、中間周辺基板ＰＢＭをサブ基板２とし、終端周辺基板ＰＢＥを液晶基板２００とすることができる。遊技機の内部構造が図２とは異なるような場合、例えばメイン基板１にリールユニット７０が中間周辺基板ＰＢＭとして接続され、リールユニット７０にスイッチ基板が終端周辺基板ＰＢＥとして接続されるようなものであれば、この系統に本発明の実施の形態を適用することができる。遊技機のどの基板を中心基板ＰＢＣとし、どの基板を周辺基板ＰＢＭ又はＰＢＥとするかによって動作が異なることはない。図４（ａ）（ｂ）の対応関係はあくまで一例である。
【００３１】
本発明の実施の形態の動作について、図５〜図８を参照して説明を加える。これらの図は、ひとつの系統ついてその詳細な接続を示すものである。図５〜図８は階層が２の場合を示すが、これより階層が多くても、中間に入る周辺基板ＰＢＭ及びそこでの中継動作（中継のための配線）が増えるだけで、基本的な動作は変わらない。
【００３２】
図５は、確認信号として電源電圧を送信し、確認信号の返信として電源電圧からの電流を受けるものである。
【００３３】
図５において、ＰＢＣは遊技に係る抽選処理又は演出処理を行う中心基板、ＰＢＭは中心基板ＰＢＣに接続される中間周辺基板、ＰＢＥは中間周辺基板ＰＢＭに接続される終端周辺基板である。ＷＨ１は中心基板ＰＢＣと中間周辺基板ＰＢＭを電気的に接続する第１ワイヤハーネス、ＷＨ２は中間周辺基板ＰＢＭと終端周辺基板ＰＢＥを電気的に接続する第２ワイヤハーネスである。
【００３４】
第1ワイヤハーネスＷＨ１及び第２ワイヤハーネスＷＨ２は、中心基板ＰＢＣから送信される確認信号を中間周辺基板ＰＢＭ及び終端周辺基板ＰＢＥへ伝達するための確認信号送信線Ｔと、終端周辺基板ＰＢＥから返信される確認信号を中心基板ＰＢＣへ伝達するための確認信号返信線Ｒとを含む。
【００３５】
ハーネス接続確認部ＤＥＴは、入力電圧を予め定められた電圧と比較するコンパレータＣＭＰを備える。基準電圧源ＶＳはそのためのものである。中心基板ＰＢＣにおいて、確認信号送信線Ｔに抵抗ＲＲを介して電源線ＶＣＣが接続されている。他方、確認信号返信線Ｒはハーネス接続確認部ＤＥＴにおいて接地されている。コンパレータＣＭＰの一方の入力には確認信号送信線Ｔが接続され、他方の入力には基準電圧源ＶＳが接続されている。
エラー報知部ＥＲＲは、コンパレータＣＭＰの出力に基づきエラー報知を行う。
【００３６】
中間周辺基板ＰＢＭは、第１ワイヤハーネスＷＨ１に設けられたコネクタプラグＷＨ１ＭＰと嵌合する中心側コネクタソケットＰＢＭＳ１と、第２ワイヤハーネスＷＨ２に設けられたコネクタプラグＷＨ２ＭＰと嵌合する周辺側コネクタソケットＰＢＭＳ２とを備える。さらに、中間周辺基板ＰＢＭには、第１ワイヤハーネスＷＨ１に含まれる確認信号送信線Ｔと第２ワイヤハーネスＷＨ２に含まれる確認信号送信線Ｔを接続する配線Ｗ１と、第１ワイヤハーネスＷＨ１に含まれる確認信号返信線Ｒと第２ワイヤハーネスＷＨ２に含まれるの確認信号返信線Ｒを接続する配線Ｗ２とが、中心側コネクタソケットＷＨ１ＭＰと周辺側コネクタソケットＷＨ２ＭＰの間に設けられている。なお、図５〜図８において、中心基板ＰＢＣと第１ワイヤハーネスＷＨ１との接続に係るコネクタ（プラグとソケット）の表示は省略している。
【００３７】
終端周辺基板ＰＢＥは、第２ワイヤハーネスＷＨ２に設けられたコネクタプラグＷＨ２ＥＰと嵌合するコネクタソケットＰＢＥＳを備える。さらに、終端周辺基板ＰＢＥには、第２ワイヤハーネスＷＨ２に含まれる確認信号送信線Ｔと確認信号返信線Ｒを接続する配線Ｗ３が設けられている。
【００３８】
ハーネス接続確認部ＤＥＴは、内蔵するコンパレータＣＭＰで基準電圧と比較することで確認信号の返信を検知する。基板ＰＢＣ〜ＰＢＥとハーネスＷＨ１及びＷＨ２の接続が正常であれば確認信号及び確認信号の返信として電源電圧からの電流が流れ、コンパレータＣＭＰの入力電圧はゼロ（低レベル）となり、基準電圧よりも低くなる。ワイヤハーネスＷＨ１又はＷＨ２のコネクタのいずれかが外されると電流が止まり、コンパレータＣＭＰの入力電圧は電源電圧（高レベル）となり、基準電圧よりも高くなる（基準電圧は電源電圧の二分の一程度にしておく）。このとき、コンパレータＣＭＰがエラー信号を出力し、これを受けてエラー報知部ＥＲＲがエラー報知を行う。
【００３９】
図６は、確認信号として電源電圧を送信し、確認信号の返信として電源電圧からの電流を受けるものであるが、図５と比べて抵抗ＲＲの配置が異なり、これに伴いコンパレータＣＭＰの入力端の接続個所が違っている。
【００４０】
図６において、中心基板ＰＢＣで確認信号送信線Ｔに電源ＶＣＣが接続され、確認信号返信線Ｒが抵抗ＲＲを介して接地されている。コンパレータＣＭＰの入力に確認信号返信線Ｒが接続されている。
【００４１】
ハーネス接続確認部ＤＥＴの動作は、図５の場合と同様であるが、その出力論理が逆になっている。すなわち、コンパレータＣＭＰで基準電圧と比較することで確認信号の返信を検知するが、基板ＰＢＣ〜ＰＢＥとハーネスＷＨ１及びＷＨ２の接続が正常であれば確認信号の返信として電源電圧ＶＣＣからの電流が流れ、コンパレータＣＭＰの入力電圧は電源電圧（高レベル）となり、基準電圧よりも高くなる。ワイヤハーネスＷＨ１又はＷＨ２のコネクタのいずれかが外されると電流が止まり、コンパレータＣＭＰの入力電圧はゼロ（低レベル）となり、基準電圧よりも低くなる（基準電圧は電源電圧の二分の一程度にしておく）。このとき、コンパレータＣＭＰがエラー信号を出力し、これを受けてエラー報知部ＥＲＲがエラー報知を行う。
【００４２】
図７は、確認信号として電源電圧を送信し、確認信号の返信として電源電圧からの電流を受けるものであるが、図５及び図６の場合と異なり、電流そのものをコンパレータＣＭＰで検出している。
【００４３】
図７において、中心基板ＰＢＣで確認信号送信線Ｔに電源ＶＣＣが接続され、確認信号返信線Ｒが抵抗ＲＲを介して接地されている。コンパレータＣＭＰの２つの入力端子は抵抗ＲＲの両端に接続されている。
【００４４】
ハーネス接続確認部ＤＥＴのコンパレータＣＭＰで確認信号の返信である電流そのものを検知する。基板ＰＢＣ〜ＰＢＥとハーネスＷＨ１及びＷＨ２の接続が正常であれば確認信号の返信として電源電圧ＶＣＣからの電流が流れ、したがって抵抗ＲＲの両端に電位差が生じるのでコンパレータＣＭＰはその旨の信号（例えば高レベルの信号）を出力する。この信号は確認信号の返信があることを意味する。ワイヤハーネスＷＨ１又はＷＨ２のコネクタのいずれかが外されると電流が止まり、抵抗ＲＲの両端の電位差は低レベル（ゼロ）となり、コンパレータＣＭＰは信号を出力しない（例えば低レベルになる）。これは確認信号の返信がなくなったことを意味する。これを受けてエラー報知部ＥＲＲがエラー報知を行う。
【００４５】
図５〜図７の具体例はアナログ回路であって、確認信号／確認信号の返信として電圧／電流を用いるものであったが、本発明はこれに限定されない。例えば、確認信号／確認信号の返信としてデジタル信号を用いることができる。
【００４６】
図８は、ハーネス接続確認部ＤＥＴに、予め定められたデジタル信号を出力する発信器ＯＳＣと、確認信号返信線Ｒで返信された確認信号の返信信号を発信器ＯＳＣの出力信号と比較するコンパレータＣＭＰとを備える。周辺基板ＰＢＭ、ＰＢＥに確認信号／確認信号の返信を増幅するバッファＢＵＦＦ１〜ＢＵＦＦ３を設けてもよい。図８のコンパレータＣＭＰは、図５〜図７に示されたものと異なり、デジタル信号を比較するものであり、典型的には排他的論理和（ＸＯＲ）ゲートである。
【００４７】
基板ＰＢＣ〜ＰＢＥとハーネスＷＨ１及びＷＨ２の接続が正常であれば、発信器ＯＳＣで送った確認信号と同じものが、確認信号の返信として返ってきている。この場合、コンパレータＣＭＰでの比較結果は一致であるので、コンパレータＣＭＰはエラー信号を出力しない。しかし、ワイヤハーネスＷＨ１又はＷＨ２のコネクタのいずれかが外されると確認信号が返ってこなくなり、コンパレータＣＭＰで比較する２つの信号が一致しなくなり、コンパレータＣＭＰはエラー信号を出力する。これを受けてエラー報知部ＥＲＲがエラー報知を行う。
【００４８】
本発明の実施の形態によれば、例えば、全ての基板等を制御するメイン基板のようなものを中心基板とし、そこから常に確認信号を出力する。中心基板に接続されている周辺基板のうち、その終端の基板で前記確認信号を受けたとき、当該確認信号に対する返信を前記中心基板へ返す。当該返信を中心基板で受けたときはハーネスが正常に接続されていると判断するが、当該返信を確認できなかったときは、ハーネスが外されたとして音や光などの人間が感知できるような方法でエラー状態を報知する。不正な電子部品を取り付けようとしてハーネスを外すと、その瞬間にエラー報知されることになる。本発明の実施の形態により、遊技中もしくは遊技待機中に、遊技の結果に影響を及ぼす恐れのある不正な電子部品等を取り付けることを抑止できる。
【００４９】
なお、上記説明において、遊技機としてスロットマシンを例にとり説明を加えたが、本発明は他の遊技機、例えばパチンコ機にも適用することができる。
【００５０】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５１】
【図１】遊技機（スロットマシン）の正面図である。
【図２】遊技機の機能ブロック図である。
【図３】発明の実施の形態の動作原理の説明図である。
【図４】発明の実施の形態における中心基板、中間周辺基板、終端周辺基板と、実際の遊技機の基板との対応関係（具体例）を説明するための図である。
【図５】発明の実施の形態に係るハーネス接続確認部と、確認信号送信線及び確認信号返信線との接続の具体例を示す図である。
【図６】発明の実施の形態に係るハーネス接続確認部と、確認信号送信線及び確認信号返信線との接続の他の具体例を示す図である。
【図７】発明の実施の形態に係るハーネス接続確認部と、確認信号送信線及び確認信号返信線との接続の他の具体例を示す図である。
【図８】発明の実施の形態に係るハーネス接続確認部と、確認信号送信線及び確認信号返信線との接続の他の具体例を示す図である。
【符号の説明】
【００５２】
１    メイン基板
２    サブ基板
７０    リールユニット
７１    リール位置検出回路
８０    ホッパ駆動部
８１    ホッパ
８２    メダル検出部
１００    スロットマシン
１２０    スロットマシン本体
１３０    扉
１３１    ゲーム表示部
１３２    メダル投入口
１３３    リジェクトボタン
１３４    スタートスイッチ
１３５    払出し口
１４０    ストップボタン
２００  液晶制御基板
２０１  スピーカ
２０２  ＬＥＤ基板
ＣＭＰ  コンパレータ
ＤＥＴ  ハーネス接続確認部
ＥＲＲ  エラー報知部
ＰＢＣ  中心基板
ＰＢＭ  中間周辺基板
ＰＢＭＳ１  中間周辺基板の第１ワイヤハーネス側の中心側コネクタ（ソケット）
ＰＢＭＳ２  中間周辺基板の第２ワイヤハーネス側の終端側コネクタ（ソケット）
ＰＢＥ  終端周辺基板
ＰＢＥＳ  終端周辺基板のコネクタ（ソケット）
Ｔ  確認信号送信線
Ｒ  確認信号返信線
ＲＲ  抵抗
Ｗ１  中間周辺基板において２つの確認信号送信線を結ぶ配線
Ｗ２  中間周辺基板において２つの確認信号返信線を結ぶ配線
Ｗ３  終端周辺基板において確認信号送信線と確認信号返信線を結ぶ配線
ＷＨ１  第１ワイヤハーネス
ＷＨ１ＭＰ  第１ワイヤハーネスのコネクタ（プラグ）
ＷＨ２  第２ワイヤハーネス
ＷＨ２ＭＰ  第２ワイヤハーネスの中間周辺基板側のコネクタ（プラグ）
ＷＨ２ＥＰ  第２ワイヤハーネスの終端周辺基板側のコネクタ（プラグ）
ＶＣＣ  電源電圧
【図１】
0004662844.tif 000002
【図２】
0004662844.tif 000003
【図３】
0004662844.tif 000004
【図４】
0004662844.tif 000005
【図５】
0004662844.tif 000006
【図６】
0004662844.tif 000007
【図７】
0004662844.tif 000008
【図８】
0004662844.tif 000009